Podtech/llm-jp-corpus-v4-ja_patent huggingface dataset:
(57)【要約】      （修正有）【課題】折角釣り針に掛かった魚を逃がす事の無い釣り針を提供する。【解決手段】針り先１０１からバーブ１０２、ベンド１０３、シャンク１０４、アイ１０５の順に曲り形成してある魚釣り針１００において、少なくとも前記シャンク１０４に前記バーブ１０２とは逆向きのバーブ２０２、３０２を有する補助針２００、３００を接続したことを特徴とする魚釣り針。【選択図】図１
0003233271.tif 000002
【実用新案登録請求の範囲】
【請求項１】
針り先１０１からバーブ１０２、ベンド１０３、シャンク１０４、アイ１０５の順に曲り形成してある魚釣り針１００において、少なくとも前記シャンク１０４に前記バーブ１０２とは逆向きのバーブ２０２、３０２を有する補助針２００、３００を接続したことを特徴とする魚釣り針。
【考案の詳細な説明】
【技術分野】
【０００１】  本考案は、釣に掛かった魚を外して逃がさない魚釣り針に関する。
【背景技術】
【０００２】  ブリや鯛等の大型魚の釣りには棹を介しての引きが強く釣り針が口の奥深く飲み込まれていても針のバーブ（：あご）が魚の上顎、下顎、鰓蓋等から外れて逃げられるケースが多々ある。
叉、延縄漁等海水中に長時間張っておき魚を取る場合、掛かった魚が釣り針から外れて逃げられることも多く効率が悪い。
【考案の概要】
【考案が解決しようとする課題】
【０００３】  本考案は、前記したような折角釣り針に掛かった魚を逃がす事の無い釣り針を提供する。
【課題を解決するための手段】
【０００４】  上記課題を満足させる本考案における主な技術構成は、次の（１）の通りである。
（１）、針り先１０１からバーブ１０２、ベンド１０３、シャンク１０４、アイ１０５の順に曲り形成してある魚釣り針１００において、少なくとも前記シャンク１０４に前記バーブ１０２とは逆向きのバーブ２０２、３０２を有する補助針２００、３００を接続したことを特徴とする魚釣り針。
本考案の魚釣り針は、金属製、樹脂製等であるが特に限定するものではない。
【考案の効果】
【０００５】  本考案の魚釣り針１００は、魚の口中に一旦飲み込まれれば最後、針先１０１とそれに続くバーブ１０３が魚の上顎、下顎や鰓蓋などに刺さり魚の口の反吐出側に抜けることを阻止すると共に、前記前記バーブ１０３が刺さっている部分以外の部分に補助針２００のバーブ２０２が刺さり、魚の口の吐出側に該補助針のバーブ２０２が魚の口の吐出側に抜けることを阻止する。よって本考案の魚釣り針は魚の口中に飲み込まれるたが最後、外れることが無く大物魚釣りにはもってこいの魚釣り針である。
【図面の簡単な説明】
【０００６】
【図１】本考案の魚釣り針の実施例を示す側面からの鳥瞰説明図である。
【考案を実施するための形態】
【０００７】本考案を実施するための形態を図１に示す実施例により詳細に説明する。
図１において、本例の魚用の主の釣り針１００は（以下主釣り針と称する）、針り先１０１からバーブ１０２、ベンド１０３、シャンク１０４、アイ１０５の順に曲り形成してある。
そして前記主釣り針１００のシャンク１０４に補助針２００、３００を設けてある。他に主釣り針１００の小型の准補助針４００も設けてある。
前記釣り針１００のバーブ１０２は、針先１０１が刺さる方向即ち魚の口の吐出方向とは逆方向に通常顎と称する引っ掛り部分である。ここが魚の下顎や上顎等を通過すれば魚の口の反吐出方向に逆戻りすることがなく滅多に外れない。しかし釣り上げ途中に暴れると刺さっている下顎や上顎等が切れてしまい逃げられる可能性がある。
【０００８】そこで前記シャンク１０４に設けた補助釣り針２００、３００の出番である。
前記補助針２００、３００は、バーブ２０２、３０２を、前記主釣り針１００のバーブ１０２とは逆向きの引っ掛かり部を形成してある。
つまり前記バーブ２０１、３０１は、主釣り針１００のバーブ１０２が引っ掛かっている部分以外の部分に、引っ掛かり部を引っ掛かけて主釣り針１００の前後の動きを完全に阻止して願地固（がんじがため）にし、絶対に逃がさないのである。
本例の准補助針４００のバーブ４０２は、主釣り針１００のバーブ１０２と同様な抜け防止作用をする。
【０００９】
【産業上の利用可能性】
【００１０】  本考案は、前述の優れた作用効果を呈するため、一般の魚釣り人には勿論のこと棹釣り漁師にもうれしいプレゼントであり漁業産業に貢献する事多大なものがある。
【符号の説明】
【００１１】１００：主釣り針
１０１、２０１，３０１，４０１：針り先
１０２、２０２，３０２，４０２：バーブ
１０３、２０３，３０３，４０３：ベンド
１０４、２０４，３０４，４０４：シャンク
１０５：アイ
２００、３００：補助針
４００：小型の准補助針
【図１】
0003233271.tif 000003
(57)【要約】      （修正有）【課題】複数の屋根から流れた水をうけることができる雨といのうけを提供する。【解決手段】雨といのうけは、雨とい１の両側に止め２を取り付け、中央部に穴をあけ、うけ３で水を処理して流す。一つのうけで複数の屋根から流れて来た水を受けることで費用の軽減に役立つ。【選択図】図３
0003233273.tif 000002
【実用新案登録請求の範囲】
【請求項１】
雨といの両端に半円の止めを取付け雨といの中央部に穴をあけ雨といの中央部にうけを取付けたことを特徴とする雨といのうけ。
【考案の詳細な説明】
【技術分野】
【０００１】  本考案は、雨といのうけに関するものである。
【背景技術】
【０００２】  雨といのうけで複数の場所から流れてくるうけは殆ど無かった。
【考案の開示】
【考案が解決しようとする課題】
【０００３】  複数の雨といから流れて来た水をうけることで前途の欠点を解決している。
【課題を解決するための手段】
【０００４】  本考案は、複数の雨といから流れて来た水をうけることで問題点を解決している。
【考案の効果】
【０００５】  家の雨といからの流出口の数をへらすことで減価に家の建設費ができることに役立つ。
【考案を実施するための最良の形態】
【０００６】  雨といを４０ｃｍから４５ｃｍに切断し、両側に止めを取付け通常のうけをその雨といの中央部に穴をあけ取付る。
【実施例】
【０００７】  以下、添付図面に従って実施例を説明する。１の雨といに複数の屋根の雨水を取った棒を付け、２の止めで流出を防ぎ、３のうけでその水を処理して流すものから成り４の様に取付ける。【０００８】  本考案の実施例は、上途の如き構成からなるもので家の建設費の引下げに役立つ。
【図面の簡単な説明】
【０００９】
【図１】正面図
【図２】側面図
【図３】実施例図
【符号の説明】
【００１０】    １  雨とい
２  止め
３  うけ
４  止め金具
【図１】
0003233273.tif 000003
【図２】
0003233273.tif 000004
【図３】
0003233273.tif 000005
(57)【要約】      （修正有）【課題】複数の燃料タンクに接続でき、発電機が稼働中でも空になった燃料タンクを交換できる携帯発電機用自動燃料供給システムを提供する。【解決手段】自動燃料供給システムは、携帯発電機へ燃料を供給する燃料供給ポンプ４と、ホースを通じて繋がった発電機内のキャブレターの圧力を検知する圧力センサーと、タンクの燃料がなくなったときに空気の流入を検知するサブタンクを含む。燃料の供給にはチューブポンプを使い、制御用基板３に実装された圧力センサーを使って、ホースを通じて繋がった発電機内のキャブレター内の圧力を検知し、フロートの上昇による圧力上昇でポンプの停止制御をおこなう。【選択図】図１
0003233225.tif 000002
【実用新案登録請求の範囲】
【請求項１】
携帯型発電機へ燃料を供給する燃料供給ポンプと、ホースを通じて繋がった前記発電機内のキャブレターの圧力を検知する圧力センサーの検知とタンクの燃料なしによる空気の流入を検知するサブタンクによって前記燃料供給ポンプの停止制御を組み合わせ、さらに交換可能な複数のタンクを接続して、連続して燃料を供給する装置を組み合わせた自動燃料供給システム。
【考案の詳細な説明】
【技術分野】
【０００１】      可搬型発電機に関する分野です。
【背景技術】
【０００２】 可搬型発電機はできるだけ小型化し、持ち運びが楽になるように考えられるので当然ですが、使われる燃料タンクは比較的小容量のものが一般的で、そもそも長時間運転には向いていません。
【考案の概要】
【考案が解決しようとする課題】
【０００３】   ところが最近は災害などで電気を必要とする時間が延びているので、可搬型発電機にも長時間運転のニーズが生まれています。ただし、単に燃料タンクを大型化するのではせっかくの可搬性が犠牲になります。
【課題を解決するための手段】
【０００４】 そこで複数の燃料タンクに接続し、発電機が稼働中でも空になった燃料タンクを交換できるように、タンク交換式の燃料供給装置を考案しました。燃料の供給には電動ポンプを使い、制御用基板に実装された圧力センサーを使って、ホー&#12786;を通じて繋がった発電機内のキャブレター内の圧力を検知し、フロートの上昇による圧力上昇で電動ポンプの停止制御をおこないます。そのため、発電機の改造は単に燃料ホースを外部に引き出すだけです。また、タンクが空になった場合のエア抜き用サブタンクを装備し、空気がキャブレターへ送られることを防ぎます。
【考案の効果】
【０００５】 電動ポンプは各タンク毎に装備されており、停止には管路が密閉されるので、他のタンクが稼働中でもタンクの交換ができます。また、外部タンクにワンタッチコネクタ付きの製品を使えば、複数のタンクを簡単に取り替えることができ、事実上燃料容量には制限がなくなります。
【図面の簡単な説明】
【０００６】
【図１】図１は携帯発電機用自動燃料供給システム構造図
【図２】図２は携帯発電機用自動燃料供給システム利用時構成図
【産業上の利用可能性】
【０００７】 すでに可搬型発電機は１００万台以上もが市場にでており、日本での年間販売台数もおおむね１０万台を超えるような製品です。それらの製品に本製品をとりつけるだけで、性能はそのままで発電時間をほぼ制限が無いくらいに延長できます。これは単に汎用可搬型発電機の性能を高めるだけではなく、従来では使えなかった用途にまで広げられる可能性があり、産業上の利用可能性は非常に大きいと言えます。 
【符号の説明】
【０００８】    図１の説明      １  燃料タンク接続用ホースニップル      ２  駆動用１２ボルトバッテリー      ３  制御用基板      ４  燃料供給用電動ポンプ      ５  発電機接続用ホースニップル      ６  電源スイッチ      ７  燃料残量表示器      ８  本体ケース      注、内部配管は表示していません    図２の説明      １  燃料タンク      ２  燃料ワンタッチ接続用ホース      ３  発電機ワンタッチ接続用ホース      ４  本機コントローラ      ５  燃料タンクワンタッチ接続キャップ
【図１】
0003233225.tif 000003
【図２】
0003233225.tif 000004
(57)【要約】      （修正有）【課題】襟部分を環境に応じて開襟、立て襟、及び詰襟の３つのモードに変化させて使用することができる救急救命用上衣を提供する。【解決手段】襟の左側の襟端近くには襟周り方向に伸びるタブ状布の一端を縫着させ、そのタブ状布の他の端の裏側にはスナップボタン（メス）を設け、襟の右側の襟端近くには対応するスナップボタン（オス）を設け、前立ての襟と隣接して三角形の張り出し布を縫製し、左側張り出し布の裏側及び右側張り出し布の表側にはそれぞれ面ファスナーを設置し、開襟モードにおいては張り出し布を裏返すことにより襟と見かけ一体の開襟襟形状となり、立て襟モードにおいては襟を立てるとともにタブのスナップボタンを襟側のスナップボタンと接着させて更に張り出し布の左右の面ファスナーを接着させることにより立襟形状となり、詰襟モードにおいては襟を折って襟布の裏側が表に出るようにするとともに張り出し布の左右の面ファスナーを接着させることにより詰襟形状とする。【選択図】図１
0003233292.tif 000002
【実用新案登録請求の範囲】
【請求項１】
襟部分を環境に応じて開襟、立て襟、及び詰襟の３つのモードに変化させて使用することを可能とするために、前立ての襟下部分に三角形の張り出し布を縫製しその縁と前見頃の間を面ファスナー及び張り出し布の縁に細長いタブとその先端にスナップボタン（メス）を襟の側に対応するスナップボタン（オス）を設けた救急救命用上衣
【請求項２】
タブを使用しない使用モードにおいて、タブが垂れさがることを防止するためのタブ留を備えた請求項１の救急救命用上衣
【請求項３】
袖の幅を袖をたくし上げた際にちょうど固定できる幅に調整した請求項２の上衣
【請求項４】
左前身頃の胸の位置にポケットを設け、その上端から２ｃｍないし４ｃｍ離れた位置に蓋状の布（フラップ）をポケットの上半分を覆うことができる長さにした請求項３の上衣
【請求項５】
ポケットの上端に２点で固定されたゴム紐を設けて、ポケットの内容物をゴム紐にかけることによって脱落することを防止する請求項４の上衣
【考案の詳細な説明】
【技術分野】
【０００１】
本考案は、襟部分を環境に応じて開襟、立て襟、及び詰襟の３つのモードに変化させて使用することができる救急救命用上衣に関するものである。
【考案の概要】
【０００２】
本考案の３ｗａｙ上衣は、面ファスナー及びスナップボタンの着脱という簡単な操作で、環境の変化例えば高温か低温かに応じて、迅速に襟の形状を変えることができ、救急救命に従事する医療者らの快適な活動を実現するものである。
【考案の効果】
【０００３】
本考案の３ｗａｙ上衣は、面ファスナー及びスナップボタンの着脱という簡単な操作で、環境の変化例えば高温か低温かに応じて、迅速に襟の形状を変えることができ、救急救命に従事する医療者らの快適な活動を実現することができるという利点がある。
【図面の簡単な説明】
【０００４】
【図１】開衿モード
【図２】詰襟モード
【図３】立て襟モード
【図１】
0003233292.tif 000003
【図２】
0003233292.tif 000004
【図３】
0003233292.tif 000005
【手続補正書】
【提出日】令和3年5月29日(2021.5.29)
【手続補正１】
【補正対象書類名】実用新案登録請求の範囲
【補正対象項目名】全文
【補正方法】変更
【補正の内容】
【実用新案登録請求の範囲】
【請求項１】
襟部分を環境に応じて開襟、立て襟、及び詰襟の３つのモードに変化させて使用することを可能とするために、襟の左側の襟端近くには襟周り方向に伸びるタブ状布の一端を縫着させ、そのタブ状布の他の端の裏側にはスナップボタン（メス）を設け、襟の右側の襟端近くには対応するスナップボタン（オス）を設け、前立ての襟と隣接して三角形の張り出し布を縫製し、左側張り出し布の裏側及び右側張り出し布の表側にはそれぞれ面ファスナーを設置し、開襟モードにおいてはその張り出し布を裏返すことにより襟と見かけ一体の開襟襟形状となり、立て襟モードにおいては襟を立てるとともに前記タブのスナップボタンを前記襟側のスナップボタンと接着させて更に前記張り出し布の左右の面ファスナーを接着させることにより立襟形状となり、詰襟モードにおいては襟を折って襟布の裏側が表に出るようにするとともに前記張り出し布の左右の面ファスナーを接着させることにより詰襟形状とすることを特徴とする救急救命用上衣
【請求項２】
タブを使用しない使用モードにおいて、タブが垂れさがることを防止するためのタブ留を備えた請求項１の救急救命用上衣
【請求項３】
袖の幅を袖をたくし上げた際にちょうど固定できる幅に調整した請求項２の救急救命用上衣
【請求項４】
左前身頃の胸の位置にポケットを設け、その上端から２ｃｍないし４ｃｍ離れた位置に蓋状の布（フラップ）をポケットの上半分を覆うことができる長さにした請求項３の救急救命用上衣
【請求項５】
ポケットの上端に２点で固定されたゴム紐を設けて、ポケットの内容物をゴム紐にかけることによって脱落することを防止する請求項４の救急救命用上衣
(57)【要約】      （修正有）【課題】透過した呼吸排気により眼鏡レンズが曇ることを防止する眼鏡防曇シート付マスクを提供する。【解決手段】眼鏡防曇シート付マスクは、不織布マスクに、不織布マスクの表面の全面を覆う大きさの半楕円形のフィルム状シートを重ね、不織布マスクの上部とフィルム状シートの上部のみを接合して、重ねた不織布マスクとフィルム状シートの側面と下部を開放した。【選択図】図３
0003233299.tif 000002
【実用新案登録請求の範囲】
【請求項１】
風邪やインフルエンザウィルスを防ぐために使用されている通常の不織布マスクにおいて、該不織布マスクの表面の全面を覆う大きさの半楕円形のフィルム状シートを重ね、前記不織布マスクの上部と前記フィルム状シート上部のみを接合して、重ねた前記不織布マスクと前記フィルム状シートの側面と下部を開放した形状を特徴とする眼鏡防曇シート付マスク
【考案の詳細な説明】
【技術分野】
【０００１】  本考案は、眼鏡レンズの曇り防止用のフィルム状シートを取り付けたマスクに関するものである。
【背景技術】
【０００２】  気温の低い時に眼鏡を使用する人が不織布マスクを着用すると、呼吸排気により眼鏡のレンズが曇りやすくなるが、スポンジの鼻あて取り付けや、マスクの中心部の通気性を抑えるなどの対策が行われている。
【考案の概要】
【考案が解決しようとする課題】
【０００３】  風邪やインフルエンザウィルスを防ぐために一般的に不織布マスクを使用しているが、不織布マスクを透過した呼吸排気により眼鏡レンズが曇るたびに、これを拭き取るか、レンズに曇り止め液を塗布する必要がある。
本考案は、不織布マスクを透過した呼吸排気により眼鏡が曇る欠点を解決しようとするものである。
【課題を解決するための手段】
【０００４】  風邪やインフルエンザウィルスを防ぐために使用されている通常の不織布マスクにおいて、該不織布マスクの表面の全面を覆う大きさの半楕円形のフィルム状シートを重ね、前記不織布マスクの上部と前記フィルム状シートの上部のみを接合して、重ねた前記不織布マスクと前記フィルム状シートの側面と下部を開放する。これにより不織布マスクを透過した呼吸排気が側面と下部に向かい、眼鏡に向かう呼吸排気の上昇を抑えるものである。
【考案の効果】
【０００５】  本考案は、不織布マスクの通気性を損なわずに、吐き出された呼吸排気を側面と下部に誘導することにより、外気によって冷やされた眼鏡に向かうことがなく、眼鏡の曇りを抑制できる。
また、自身の咳による飛沫の飛散を抑えるとともに、対向する人から飛来する咳による飛沫をフィルム状シート表面で受け、不織布マスクへの付着を防ぐことができる。
【図面の簡単な説明】
【０００６】
【図１】不織布マスクの正面図である。
【図２】フィルム状シートの正面図である。
【図３】不織布マスクにフィルム状シートを取り付けた正面図である。
【図４】不織布マスクにフィルム状シートを取り付けた側面斜視図である。
【考案を実施するための形態】
【０００７】  風邪やインフルエンザウィルスを防ぐために使用されている通常の不織布マスクにおいて、該不織布マスクの表面の全面を覆う大きさの半楕円形のフィルム状シートを重ね、前記不織布マスクの上部と前記フィルム状シートの上部のみを両面接着剤で接着し、重ねた前記不織布マスクと前記フィルム状シートの側面と下部を開放した形状の、眼鏡防曇シート付マスクとする。
なお、不織布マスクとフィルム状シートの接着方法は、縫合や特殊クリップの使用による接合に代えることができる。
また、フィルム状シートの形状は半楕円形のほかに、長方形や台形など、本考案を逸脱しない形状であればよい。
【実施例】
【０００８】  図１は、一般的に使用されている風邪やインフルエンザウィルス防止用の不織布マスク１であり、耳ひも３を表わす。【０００９】  図２は、本考案を実施する半楕円形のフィルム状シート２であり、図３は、図１の不織布マスク１に図２のフィルム状シート２を接合したものである。
両面接着剤４に、フィルム状シートの上部５を付着させ、フィルム状シートの下部６を自由状態としたものである。【００１０】  図４は、図３の不織布マスクを着用したときの側面斜視図を表し、側面と下部が開放されていることを示す。【００１１】  つまり本考案の眼鏡防曇シート付マスクは上記構造であることから、呼吸排気において不織布マスクを透過した呼気を不織布マスクの上部眼鏡側には通過させず、不織布マスクの側面および下部側のみに通過排出させ、眼鏡の曇りを防止できるものである。
【符号の説明】
【００１２】１  不織布マスク
２  フィルム状シート
３  耳ひも
４  両面接着剤
５  フィルム状シートの上部
６  フィルム状シートの下部
【図１】
0003233299.tif 000003
【図２】
0003233299.tif 000004
【図３】
0003233299.tif 000005
【図４】
0003233299.tif 000006
(57)【要約】      （修正有）【課題】装置とランニングコストが廉価で、浄化効率が良好な養殖水槽用の殺菌・浄化装置を提供する。【解決手段】ウールマット充填層１７と均一分散供給孔を有する濾過槽１を通過した養殖水を、保持具２４により均等に配置された紫外線ランプ２２と、板ガラスや瓶ガラスをリサイクル処理して得られる多孔質の発泡ガラスの表面に酸化チタン光触媒を担持させた粒子の充填層２５からなる光触媒浄化槽２に供給する。【選択図】図１
0003233298.tif 000002
【実用新案登録請求の範囲】
【請求項１】
複数の紫外線ランプが均等に配置された容器に、板ガラスや瓶ガラスをリサイクル処理して得られる４０ｍｍ以下の多孔質発泡ガラスの表面にアナタース型酸化チタンの被膜が形成された粒子を充填した光触媒浄化槽の上部から、ウールマット濾過槽を通過した養殖水を均等に供給することを特徴とする養殖水槽に使用する殺菌・浄化装置
【考案の詳細な説明】
【技術分野】
【０００１】  本考案は、養殖水槽に使用する殺菌・浄化装置に関するものである。
【背景技術】
【０００２】  陸上での魚貝類の養殖は閉鎖系となるので、残餌や糞を除去して循環しなければならない。そのため、濾過槽の設置が必要である。しかし、濾過だけでは魚貝類に有害な細菌やウイルスを除去することができないため、近年、殺菌・浄化装置が併用され始めた。従来の殺菌・浄化装置としては、オゾン処理装置や活性炭処理装置等が用いられている。
【先行技術文献】
【特許文献】
【０００３】
【特許文献１】特許第２６３５４３２号公報
【特許文献２】特開２０１５−１９２６２７号公報
【考案の概要】
【考案が解決しようとする課題】
【０００４】  従来の養殖水槽に使用されている殺菌・浄化装置は、魚貝類に有害な細菌やウイルスを除去するオゾン処理装置や活性炭処理装置であるが、養殖水槽の水容量が大きいため、装置が高価になり、またランニングコストも高い。本考案装置は、このような従来装置の欠点を解決しようとするものである。
【考案を解決するための手段】
【０００５】  本考案装置は、複数の紫外線ランプが均等に配置された容器に、板ガラスや瓶ガラスをリサイクル処理して得られる４０ｍｍ以下の多孔質発泡ガラスの表面にアナタース型酸化チタンの被膜が形成された粒子を充填した光触媒浄化槽の上部から、ウールマット濾過槽を通過した養殖水を均等に供給することにより前述の欠点を解決している。
【考案の効果】
【０００６】  上述のように、本考案装置は、装置とランニングコストが廉価で、浄化効率が良好な殺菌・浄化装置として役立つ。
【図面の簡単な説明】
【０００７】
【図１】本考案の養殖水槽に使用する殺菌・浄化装置の一実施例を示す断面図である。
【図２】図１上部のウールマット濾過槽の一実施例を示す平面図である。
【図３】図１下部の光触媒殺菌・浄化槽の一実施例を示す平面図である。
【図４】本考案の殺菌・浄化装置の設置状態を示す側面図である。
【図５】既存の養殖水槽に本考案装置を組み入れた一実施例を示す側面図である。
【考案を実施するための形態】
【０００８】  本考案装置は、ウールマット濾過槽と光触媒殺菌浄化槽からなる。ウールマット濾過槽は、従来用いられている濾過槽で捕捉されなかった浮遊物を除去し、且つ処理水を光触媒殺菌浄化槽に均等供給する槽である。光触媒槽は、複数の紫外線ランプを均等に配置した容器に、板ガラスや瓶ガラスをリサイクル処理して得られる多孔質の発泡ガラスの表面に光触媒を担持させた粒子を充填した槽である。これらを重ねた装置が養殖水槽に用いる殺菌及び浄化を目的とした本考案装置となる。
【実施例】
【０００９】  以下、添付図面に従って一実施例を説明する。図１は、後述の図２及び図３に示したＡ−Ａの断面図である。ウールマット濾過槽１には、その槽上部に養殖水の供給管１２を設置している。この供給管１２は、その下部に多数の散水孔１３を設け、濾過槽１の内部に敷き詰めたウールマット１７の上部に、Ｌ型の管継手１４を介してポンプアップされた養殖水を散水供給するために設置した。このウールマット濾過槽を設置することにより、後述の既設の濾過槽４で除去できなかった粒子を捕捉することが可能になった。なお、１８は着脱可能な蓋である。【００１０】  ２は光触媒浄化槽である。その内部には、紫外線ランプ支持具２４に保持された紫外線ランプ２２（２３はその電気コード）を均等に配置している。２５は光触媒浄化槽内に充填している多孔質の発泡ガラスの表面にアナタース型酸化チタンの被膜を形成することにより、多孔質の酸化チタン光触媒とした４０ｍｍ以下の粒子の充填層である。殺菌・浄化された水は、後述の図２の均一分散供給孔１１を通過して、既設の養殖槽に戻される。【００１１】  図２は上述のウールマット濾過槽１の一実施例を示す平面図である。１１は、濾過槽を通過した処理水を下部の光触媒浄化槽２に均等に散水する目的で設置した均一散水孔である。ポンプアップされた養殖水を多数の散水孔１３を有する２本の供給管１２に均等に供給するために、Ｔ型の管継手１５と２個のＬ型の管継手１４を用いて配管した。【００１２】  図３は上述の光触媒浄化槽２の一実施例を示す平面図である。２１は、光触媒浄化槽を通過した浄化水を既存の養殖槽に均等に散水する目的で設置した均一散水孔である。２２は紫外線ランプ、２３はその電源コードである。２４は紫外線ランプ保持具で、複数の紫外線ランプから照射される紫外線が、酸化チタン光触媒を担持させた粒子に均一に照射されるように配置するために設置している。【００１３】  図４は上述のウールマット濾過槽１、光触媒浄化槽２と既設の養殖槽の位置関係、並びに配管を示す側面図である。後述の既設の濾過槽から排出される養殖水をポンプアップされた水をウールマット濾過槽に供給するため、導入管１６からＴ型の管継手１５、Ｌ型の管継手１４を用いて配管した。【００１４】  図５は上述の殺菌・浄化装置を、既存の養殖水槽３と濾過槽４からなる一連のプラントに組み入れた一実施例を示す側面図である。５のポンプから配管１６を通って、ウールマット濾過槽１、光触媒浄化槽２からなる殺菌・浄化装置の上部に、養殖水が供給される。【００１５】  本考案の一実施例は上述の如き構成からなるものであるから、魚貝類に有害な細菌やウイルスを除去することができ、オゾン処理装置に比べ、イニシャルコストやランニングコストが廉価で、浄化効率が良好な殺菌・浄化装置となる。
【符号の説明】
【００１６】１  ウールマット濾過槽
１１  光触媒浄化槽への均一分散供給孔
１２  養殖水供給管
１３  散水孔
１４  Ｌ型の管継手
１５  Ｔ型の管継手
１６  導入管
１７  敷き詰めたウールマット
１８  蓋
２  光触媒浄化槽
２１  既存の養殖槽への均一散水孔
２２  紫外線ランプ
２３  紫外線ランプの電気コード
２４  紫外線ランプ保持具
２５  多孔質の発泡ガラスの表面に酸化チタン光触媒を担持させた粗粒子の充填層
３  既存の養殖槽
４  既存の濾過槽
５  ポンプ
【図１】
0003233298.tif 000003
【図２】
0003233298.tif 000004
【図３】
0003233298.tif 000005
【図４】
0003233298.tif 000006
【図５】
0003233298.tif 000007
(57)【要約】      （修正有）【課題】内部に動滑車等を設置しロープを介して上下させる機構によりペグ抜きの作業に関する労力を削減するペグ抜き工具を提供する。【解決手段】ペグ抜き工具の本体１の内部に上下に移動する動滑車の滑車本体Ｅを設置している。この滑車本体には滑車下部リングＦが付属しており、滑車下部リングには滑車下部ロープＧによりペグ取付用リングＨが連結されている。滑車本体を上下移動させるためのロープは本体上部の蓋にフック固定用ボルトＢで固定されたフックＤに結合されている。その反対側の端末は滑車本体を経由してロープ通過用穴Ｃから持ち手Ａに至る。ペグ取付用リングにペグのフック部分を掛け、持ち手を引くとペグが本体内部へ引き込まれる。持ち手を引く距離に対してペグが引き込まれる距離は２倍になるが、一方で持ち手を引く力が半分になり労力削減が実現する。【選択図】図３
0003233291.tif 000002
【実用新案登録請求の範囲】
【請求項１】
キャンプ等に使用するペグを地中より抜き取るための工具である。
樹脂や金属、木材等堅牢な素材により製造された筒である１本体の内部に２ロープとＥ滑車本体、Ｅ滑車本体とＨペグ取付用リングを連結するためのＦ滑車下部リングとＧ滑車下部ロープを備える特徴を持つ。
【請求項２】
Ｈペグ取付用リングにペグのフック部を掛け、Ａ持ち手を引くことによりＥ滑車本体が上昇する。この動作によりＥ滑車本体とＦ滑車下部リングからＧ滑車下部ロープにより連結されたＨペグ取付用リングが上昇し１本体内部にペグが収納される。
【請求項３】
ペグが１本体に収納される際、動滑車の作用によりペグを地中より引き抜く力が半減される。
【考案の詳細な説明】
【技術分野】
【０００１】本考案は筒内に動滑車及びロープ・リング等を備え、ペグ抜きにかかる労力削減を目的としたペグ抜き工具である。
【背景技術】
【０００２】キャンプ等で使用されるペグは、テントやタープといった仮設物を固定すべく使用されるものである。ペグの長さ等から許容される限り深く地中へ打ち込むことで対象物をより強固に固定できるという性質がある。しかし、強固な地盤に打ち込むと固定も強力になる一方で撤去の際に抜くことが非常に困難になることが多い。これまでの工具は、単にペグにフックを掛けて引くだけの単純な構造であり、この構造では引き抜こうとする力に対してペグに作用する力は１：１である。
【考案の概要】
【考案が解決しようとする課題】
【０００３】上記のとおり、固い地盤に打ち込まれたペグは抜き取るために大きな力を必要とすることがある。中には最大限の努力をしても抜くことのできないペグが存在する。ペグを放置すると迷惑になるばかりか、放置されたペグにより転倒する可能性もある。このようにキャンプ等において打ち込んだペグは必ず抜き取るのが必然であり、この作業を省力化しようとするものである。
【課題を解決するための手段】
【０００４】本考案は本体である筒の内部に動滑車を備え、動滑車の作用によりペグを引き抜くための力を半減する。持ち手の高さは調整可能でユーザーの身長に合わせて使用できる機構としているのでユーザーこの構造により固い地盤からペグを抜くことの問題点を解決している。
【考案の効果】
【０００５】上記のように本考案のペグ抜き工具は筒の内部に備えた動滑車の作用によりペグを抜くための力が半分でよい。ただし、持ち手を引いた距離に対し、ペグが移動する距離は半分となるので、急激にペグが抜けることもなく、かつ、抜いたペグが本体筒内に収納されるのでペグが飛ばされにくく紛失することや他の人・物にあたる危険性も極めて少ない。
【図面の簡単な説明】
【０００６】
【図１】本考案のペグ抜き工具の全体図と各部名称（その１）
【図２】本考案のペグ抜き工具の全体図と各部名称（その２）
【図３】本考案のペグ抜き工具の動作図
【考案を実施するための形態】
【０００７】本体である筒の上部にはロープが結合された持ち手があり、その末端は本体内部の動滑車を経由した後に筒の上部内側に固定されたフックにつながっている。本体を支えて持ち手を引くと本体内部の動滑車及び滑車下部リングとロープで結合されたペグ取付用リングが筒内部を上昇する。ペグ取付用リングにペグを掛けて作動させるとペグが本体の筒内に引き込まれる。ペグが引き込まれる長さは動滑車を経由するため持ち手の動作距離に対して半分である。
【実施例】
【０００８】以下、添付図面に従って作業例を説明する。
１本体部を手で持つ。
Ａ持ち手を最下部まで下げる。
Ｈペグ取付用リングに２ペグのフック部分を掛ける。
２ペグの頂部を１本体（筒）部の下部に入れ、１本体を支えていた手を放す。【０００９】Ａ持ち手を両手で持ち引き上げる。
ペグが１本体内に収納される。【００１０】繰り返しペグを抜く場合には本体に収納されたペグを引き出し、ペグを取り外した後にリングを最下部まで引き出すことで再度引き抜き作業が可能となる。
【図１】
0003233291.tif 000003
【図２】
0003233291.tif 000004
【図３】
0003233291.tif 000005
【手続補正書】
【提出日】令和2年12月16日(2020.12.16)
【手続補正１】
【補正対象書類名】実用新案登録請求の範囲
【補正対象項目名】全文
【補正方法】変更
【補正の内容】
【実用新案登録請求の範囲】
【請求項１】
樹脂や金属、木材等堅牢な素材により製造された筒である本体１の内部にロープ２と滑車本体、滑車本体とペグ取付用リングＨを連結するための滑車下部リングＦと滑車下部ロープＧを備える特徴を持つペグ抜き工具であって、ペグ取付用リングＨにペグのフック部を掛け、持ち手Ａを引くことにより滑車本体が上昇し、この動作により滑車本体と滑車下部リングＦから滑車下部ロープＧにより連結されたペグ取付用リングＨが上昇し本体１内部にペグが収納される特徴を持つペグ抜き工具。
【請求項２】
ペグが本体１に収納される際、動滑車の作用によりペグを地中より引き抜く力が半減される特徴を持つペグ抜き工具。
【手続補正書】
【提出日】令和3年4月7日(2021.4.7)
【手続補正１】
【補正対象書類名】実用新案登録請求の範囲
【補正対象項目名】全文
【補正方法】変更
【補正の内容】
【実用新案登録請求の範囲】
【請求項１】
樹脂や金属、木材等堅牢な素材により製造された筒である本体（１）の内部にロープ（２）と滑車本体、滑車本体とペグ取付用リング（Ｈ）を連結するための滑車下部リング（Ｆ）と滑車下部ロープ（Ｇ）を備える特徴を持つペグ抜き工具であって、ペグ取付用リング（Ｈ）にペグのフック部を掛け、持ち手（Ａ）を引くことにより滑車本体が上昇し、この動作により滑車本体と滑車下部リング（Ｆ）から滑車下部ロープ（Ｇ）により連結されたペグ取付用リング（Ｈ）が上昇し本体（１）内部にペグが収納される特徴を持つペグ抜き工具。
(57)【要約】      （修正有）【課題】塗布作業中の液切れ時に刷毛を液体塗料等に浸せきする作業を容易にできて塗布作業が連続的に行える液体塗布コテ刷毛を提供する。【解決手段】刷毛本体には液体塗料の流入の開閉・調整ができる調整ピン３と接続キャップ４が設けてあり、逆止弁付き空気抜き弁６が付属されている伸縮管容器５とを容易に取付け取外しができる。【選択図】図１
0003233297.tif 000002
【実用新案登録請求の範囲】
【請求項１】
刷毛本体と伸縮管容器は調整ピンを開閉し、接続キャップで取付け取外しができ、伸縮管容器は持ち手となり塗布しやすい構造となっており容器を圧縮することで、液体が刷毛本体に補充され、逆止弁付き空気弁を緩めると下向き塗布時に大気圧下で液体が自然的に補充され、上向きには逆止弁が働き漏洩を塞げることを特徴とする液体塗布コテ刷毛。
【考案の詳細な説明】
【技術分野】
【０００１】
本考案は、刷毛本体に液体塗料等（以下、液体と記する）を貯蔵できる伸縮管容器を具備しており、これを交換することにより、一般的な塗布作業方法（刷毛に液体を浸せきさせる行為）を繰り返して行なう作業よりは、塗布作業を長く続けられ効率的な液体塗布コテ刷毛に関するものである。
【背景技術】
【０００２】
液体を対象物に塗布する一般的な作業方法は、刷毛（またはスポンジ）に一度液体を浸せきしてから塗布作業を開始し、液切れしたら再度液体に浸せきして塗布作業を繰り返しており、非効率的である。
【先行技術文献】
【特許文献】
【０００３】
【特許文献１】実用新案登録第３１１５２６６号
【０００４】
【特許文献２】特開2012-144233
【考案の概要】
【考案が解決しようとする課題】
【０００５】
本考案が解決しようとする課題は、一般的な塗布作業方法は、使用者が塗布作業中の液切れ時に、刷毛に液体の浸せき作業を行なうために塗布作業を中断する事で作業効率が低下している。品質面でも液切れ間近では塗布の色ムラが発生している。本考案は、刷毛に液体を浸す作業の行為を無くして塗布作業を行えることができ、前述の塗布作業の欠点を解決しようとするものである。
【課題を解決するための手段】
【０００６】
本考案は、下記に示す一般的な塗布作業方法の改善を目指すものである。一般的な塗布作業方法で行なっている時に刷毛に保持されている液体が減量して塗布の色ムラが発生した時に、刷毛に液体を浸す作業を行なってから塗布作業を再開しており、作業的に無駄な時間を費やしており、非効率的である。この刷毛に液体を浸す作業を無くし連続して塗布作業を行える方法として、液体を貯蔵できる伸縮管容器を設けることにより、一般的な塗布作業の欠点を解決しようとするものである。
【考案の効果】
【０００７】
本考案は、液体を貯蔵できる伸縮管容器を設けることにより、刷毛に液体を浸す作業が無くなり、連続して塗布作業を行えることができ作業効率が向上できる。また一般的な塗布作業では、液切れ間近では塗布の色ムラが発生するが、本考案ではこの現象がないので、均一な塗布膜が形成されることにより色ムラが解消でき、見映えが良くなる効果がある。
【図面の簡単な説明】
【０００８】
【図１】図1は液体塗布コテ刷毛の実施例を示す正面図である。
【図２】液体塗布コテ刷毛の一部断面図である。
【考案を実施するための形態】
【０００９】
図１は刷毛本体に、接続キャップで液体を貯蔵できる伸縮管容器が容易に交換できること、また容器が持ち手として使用できる説明図である。容器に逆止弁付き空気弁が付いており、空気抜きキャップを緩めると下向き塗布時に大気圧下で液体が自然的に補充される構造となっている。
【実施例１】
【００１０】
伸縮管容器は蛇腹構造であるので弾力性に富み、流量供給の調整が容易である。逆止弁付き空気弁が付くことにより、ペットボトルを容器にした塗布作業に見られる液体の補充時の空気の刷毛からの逆戻りが防止できる。
【００１１】
図２は、刷毛本体に液体塗料等を供給する方法として、調整ピンの開閉度合いで流量調整ができ、個人差による塗布作業スピードに併せて塗布量が調整できる説明図である。
【符号の説明】
【００１２】
１  刷毛（またはスポンジ）
２  液流入管
３  調整ピン
４  接続キャップ
5 伸縮管容器
6  逆止弁付き空気抜き弁
【図１】
0003233297.tif 000003
【図２】
0003233297.tif 000004
【手続補正書】
【提出日】令和3年6月2日(2021.6.2)
【手続補正１】
【補正対象書類名】実用新案登録請求の範囲
【補正対象項目名】全文
【補正方法】変更
【補正の内容】
【実用新案登録請求の範囲】
【請求項１】
刷毛本体には液体塗料の流入の開閉・調整ができる調整ピン  と接続キャップが設けてあり、逆止弁付き空気抜き弁が付属されている伸縮管容器とを容易に取付け取外しができることを特徴とする液体塗布コテ刷毛。
(57)【要約】      （修正有）【課題】鼠径部や太腿の締め付けがなく、履いている感覚がしない、女性用のショーツを提供する。【解決手段】着用者の下腹部を被覆する前身頃１ａと、着用者の臀部を被覆する後見頃１ｂと、着用者の股部を被覆するクロッチ部１ｃと、前見頃１ａと後見頃１ｂの上端左右両側を繋ぐ脇部２とによって、下方に着用者の脚を通す左右の脚口３と、上部に着用者の胴を通すウエスト部４とを形成したショーツにおいて、前身頃１ａ、後見頃１ｂ、クロッチ部１ｃは連続する一枚布によって形成され、脚口３がメロー始末されている。【選択図】図１
0003233042.tif 000002
【実用新案登録請求の範囲】
【請求項１】
着用者の下腹部を被覆する前身頃と、着用者の臀部を被覆する後見頃と、着用者の股部を被覆するクロッチ部と、前見頃と後見頃の上端左右両側を繋ぐ脇部とによって、下方に着用者の脚を通す左右の脚口と、上部に着用者の胴を通すウエスト部とを形成したショーツにおいて、前身頃、後見頃、クロッチ部は連続する一枚布によって形成され、前記脚口がメロー始末されていることを特徴とするショーツ。
【請求項２】
前記ウエスト部は、ゴムを生地でくるむことによって、ゴムが肌に直接当たらない仕様にしていることを特徴とする請求項１記載のショーツ。
【請求項３】
前記前身頃、後見頃、クロッチ部及び脇部を構成する生地は、リブストレッチ天竺であり、このリブストレッチ天竺のリブを縦方向に用いたことを特徴とする請求項１または２記載のショーツ。
【考案の詳細な説明】
【技術分野】
【０００１】
この考案は、鼠径部の締め付けを軽減し、履いている感覚がしない、女性用のショーツに関するものである。
【背景技術】
【０００２】
ショーツの脚を通す脚口には、通常、ゴム紐が取付けられている。
【０００３】
このため、ショーツを着用すると、脚口のゴム紐によって鼠径部や太腿が締め付けられ、その圧迫感によって履き心地が悪い。
【０００４】
従来、この圧迫感を改善したショーツが、特許文献１〜特許文献３に紹介されている。
【先行技術文献】
【特許文献】
【０００５】
【特許文献１】特許第６５１５２３９号公報
【特許文献２】実用新案登録第３２２５８１４号公報
【特許文献３】特開２０１９−２１８６７０号公報
【考案の概要】
【考案が解決しようとする課題】
【０００６】
しかしながら、特許文献１〜３のショーツは、生地パーツが、着用者の下腹部を被覆する前身頃と、着用者の臀部を被覆する後見頃と、着用者の股部を被覆するクロッチ部とに分かれ、それぞれのパーツを縫合して形成しているので、縫合部分が鼠径部や太腿に当たって、履き心地が悪く、鼠径部の締め付けを軽減し、履いている感覚がしないというような感覚までは得ることができない。
【０００７】
そこで、この考案は、鼠径部や太腿の締め付けがなく、履いている感覚がしない、女性用のショーツを提供しようとするものである。
【課題を解決するための手段】
【０００８】
前記の課題を解決するために、この考案は、着用者の下腹部を被覆する前身頃と、着用者の臀部を被覆する後見頃と、着用者の股部を被覆するクロッチ部と、前見頃と後見頃の上端左右両側を繋ぐ脇部とによって、下方に着用者の脚を通す左右の脚口と、上部に着用者の胴を通すウエスト部とを形成したショーツにおいて、前身頃、後見頃、クロッチ部は連続する一枚布によって形成され、前記脚口がメロー始末されていることを特徴とする。
【考案の効果】
【０００９】
前記のように、前身頃、後見頃、クロッチ部を連続する一枚布によって形成し、脚口を、ゴムを使用せずメロー始末にすることにより、生地のゆとりが生まれ、鼠径部へのフィット性を減らすことできる。その結果、鼠径部の圧迫感をなくし、着用時にゴムが肌にあたることで起こる不快感を軽減することができるので、まるでショーツをはいていないかのような感覚を得ることができる。
【図面の簡単な説明】
【００１０】
【図１】この考案に係るショーツの実施形態を示す正面図である。
【図２】同上の背面図である。
【図３】同上のウエスト部分の部分拡大図である。
【考案を実施するための形態】
【００１１】
以下、この考案の実施の形態を添付図面に基づいて説明する。
【００１２】
この考案に係るショーツは、図１および図２に示すように、着用者の下腹部を被覆する前身頃１ａと、着用者の臀部を被覆する後身頃１ｂと、着用者の股部を被覆するクロッチ部１ｃと、前身頃１ａと後身頃１ｂの上端左右両側を繋ぐ脇部２とからなり、下方に着用者の脚を通す左右の脚口３と、上部に着用者の胴を通すウエスト部４とを有する。
【００１３】
前記前身頃１ａ、後身頃１ｂ、クロッチ部１ｃは連続する一枚布によって形成され、前記脚口３をメロー始末している。
【００１４】
ここで、メロー始末とは、ロックミシンによって、生地の端を巻かないで細くロックすることをいう。
図１および図２において、符号６は、前身頃１ａ、後身頃１ｂと脇部２との縫合部を示している。
【００１５】
この考案のように、前身頃１ａ、後身頃１ｂ、クロッチ部１ｃは連続する一枚布によって形成し、脚口３を、ゴムを使用せずメロー始末にすることにより、生地のゆとりが生まれ、鼠径部へのフィット性を減らすことできる。その結果、鼠径部の圧迫感をなくし、着用時にゴムが肌にあたることで起こる不快感を軽減することができるので、まるでショーツをはいていないかのような感覚を得ることができる。
【００１６】
前記ウエスト部４には、図３に示すように、ゴム５が設けられ、このゴム５を生地でくるむことによって、ゴム５が肌に直接当たらない仕様にしている。
【００１７】
前身頃１ａ、後身頃１ｂ、クロッチ部１ｃ及び脇部２を構成する生地としては、例えば、リブストレッチ天竺を用い、リブの方向を縦方向にして使用している。図１および図２に、リブストレッチ天竺のリブの方向を細線で示している。リブストレッチ天竺としては、綿１００％のほか、綿にポリウレタン繊維を混合したもの、例えば、綿９５％・ポリウレタン５％でもよい。
【００１８】
この考案は前述した実施形態に何ら限定されるものではなく、この考案の要旨を逸脱しない範囲において、さらに種々の形態で実施し得ることは勿論のことであり、本考案の範囲は、実用新案登録請求の範囲によって示され、さらに実用新案登録請求の範囲に記載の均等の意味、および範囲内の全ての変更を含む。
【符号の説明】
【００１９】
１ａ  ：前身頃
１ｂ  ：後身頃
１ｃ  ：クロッチ部
２    ：脇部
３    ：脚口
４    ：ウエスト部
５    ：ゴム
【図１】
0003233042.tif 000003
【図２】
0003233042.tif 000004
【図３】
0003233042.tif 000005
(57)【要約】      （修正有）【課題】体に貼る湿布、たとえば、経皮吸収型鎮痛抗炎症剤などを貼るときに使用するための湿布補助具を提供する。【解決手段】湿布より、外形の形状が一回り大きい長方形で網状のゴム素材の本体１の本体短辺上部３と本体短辺下部４に、あらかじめ摩耗させた面テープフック２ａ、面テープフック２ｂを取り付けた。【選択図】図１
0003233083.tif 000002
【実用新案登録請求の範囲】
【請求項１】
湿布より、外形の形状が一回り大きい長方形で網状のゴム素材の本体（１）の本体短辺上部（３）と本体短辺下部（４）に、あらかじめ摩耗させた面テープフック（２ａ）、面テープフック（２ｂ）を取り付けた湿布補助具。
【考案の詳細な説明】
【技術分野】
【０００１】  本考案は、体に貼る湿布、たとえば、経皮吸収型鎮痛抗炎症剤などを貼るときに使用するための湿布補助具に関するものである。
【背景技術】
【０００２】  従来、湿布を手の届きにくい自分の背中などに、一人で綺麗に貼るのは難しかった。
【考案の概要】
【考案が解決しようとする課題】
【０００３】  従来、湿布を手の届きにくい自分の背中などに、一人で貼るときは、やわらかい湿布がよれたり、くっついたりして、湿布の四角い状態を保つことは難しかった。
本考案は、以上のような欠点をなくすために考えたものである。
【課題を解決するための手段】
【０００４】  湿布より、外形の形状が一回り大きい長方形で網状のゴム素材の本体（１）の本体短辺上部（３）と本体短辺下部（４）に、あらかじめ摩耗させた面テープフック（２ａ）、面テープフック（２ｂ）を取り付ける。
本考案は、以上の構成よりなるものである。
【考案の効果】
【０００５】  網状で、ゴム素材の本体（１）に、やわらかい湿布（５）を貼り付けることで、ある程度の固さを保つことができ、湿布の本体短辺上部（３）を片手で持っても、湿布の四角い状態を維持することができるため、湿布を患部に綺麗に貼ることができる。
【図面の簡単な説明】
【０００６】
【図１】  本考案の斜視図である。
【図２】  本考案の使用状態を示した斜視図である。
【図３】  （ａ）は、従来の湿布の説明図で、（ｂ）は、本考案の説明図である。
【考案を実施するための形態】
【０００７】  以下、本考案の実施するための形態について説明する。
湿布より、外形の形状が一回り大きい長方形で網状のゴム素材の本体（１）の本体短辺上部（３）と本体短辺下部（４）に、あらかじめ摩耗させた面テープフック（２ａ）、面テープフック（２ｂ）を取り付ける。
本考案は、以上のような構造である。
本考案を使用するときは、本体（１）の面テープフック（２ａ）、面テープフック（２ｂ）に湿布（５）を貼り付け、湿布のフィルム（６）を剥がし、本体（１）の短辺上部（３）、または、短辺下部（４）を手に持ち患部に貼る。
これによって片手でも四角い状態のまま貼ることができる。
【符号の説明】
【０００８】    １  網状のゴム素材の本体
２ａ  摩耗させた面テープフック
２ｂ  摩耗させた面テープフック
３  本体短辺上部
４  本体短辺下部
５  体に貼る湿布
６  湿布についているフィルム
７  指
【図１】
0003233083.tif 000003
【図２】
0003233083.tif 000004
【図３】
0003233083.tif 000005
(57)【要約】      （修正有）【課題】生地一枚で作成する事ができて、軽量であり、装着時に違和感が少なく袋部分で耳全体を覆う事ができるフェイスカバーを提供する。【解決手段】１枚の生地から成るフェイスカバー１であって、生地の一部に２つの袋部分２を設け前記袋部分の耳に当接する部分に耳の大きさの穴部から成る耳かけ部を設け、生地それぞれの端部に係止部４を設けた。生地一枚で作成する事で軽量であり装着時に違和感が少なく、資材の節約になる。【選択図】図１
0003233019.tif 000002
【実用新案登録請求の範囲】
【請求項１】
１枚の生地から成るフェイスカバーであって、生地の一部に２つの袋部分を設け前記袋部分の耳に当接する部分に耳の大きさの穴部から成る耳かけ部を設け、生地それぞれの端部に係止部を設けたことを特徴とするフェイスカバー。
【請求項２】
請求項１に記載のフェイスカバーであって１枚の生地から成るフェイスカバー。
【請求項３】
請求項１又は２に記載のフェイスカバーであって前記袋部は生地が二重になっており、袋部の内側の生地に穴部が設けられ、外側の生地には設けていないフェイスカバー。
【請求項４】
請求項１〜３のいずれか１項に記載のフェイスカバーであって前記穴部の外側に切れ込みがあるフェイスカバー。
【考案の詳細な説明】
【技術分野】
【０００１】本考案は、顔、耳、首全体をカバーできるフェイスカバーに関するものである。
【背景技術】
【０００２】野外活動で紫外線から顔、耳、首全体を覆うことにより日焼け、熱中症を軽減する事ができる。
【考案の概要】
【考案が解決しようとする課題】
【０００３】しかしながら、一般的なフェイスカバーは耳全体を覆う事が難しく縫製により装着感に違和感があった。
【課題を解決するための手段】
【０００４】本考案は、１枚の生地から成るフェイスカバーであって生地の一部に２つの袋部分を設け前記袋部分の耳に当接する部分に耳の大きさの穴部から成る耳かけ部を設けた事を特徴とする。
【考案の効果】
【０００５】本考案のフェイスカバーは軽量であり顔、耳、首全体を覆うことにより日焼け、熱中症を軽減する事ができる。
【図面の簡単な説明】
【０００６】
【図１】本考案を実施する形態の一例を示す説明図である。
【図２】本考案を実施する形態の一例を示す説明図である。
【図３】本考案の使用状態を示す説明図である。
【考案を実施するための形態】
【０００７】  本考案において係止部は面フェスナーや金属性ホックやボタン等により構成される。
また、袋部分に設けた穴部は耳かけ機能を有するものであれば大きさは問わない。
穴部は袋部分の片側に設けられ耳そのものは覆い隠すものとする。
すなわち、袋部分の生地のうち内側の生地に穴部を設けて外側の生地には穴部を設けない。
これにより、装着時に袋部分で耳全体を覆うことができる。
生地一枚で作成する事で軽量であり装着時に違和感が少ない。
また、生地一枚で作成する事により資材の節約になる。
袋部分では、生地が二重になっている。二重になっている生地の一方に穴部が設けられる。図２に示す例では、生地の一部を折りたたんで重ねた部分を縫製することで袋部分を形成している。
図２に示す例では、穴部３の外側に切れ込み３ａがある。
これにより穴部と切れ込み３ａの間の部分を生地から離し耳にかけることができる。
【符号の説明】
【０００８】１    フェイスカバー
２    袋部分
３    耳かけ部
３ａ  切れ込み
４    係止部
【図１】
0003233019.tif 000003
【図２】
0003233019.tif 000004
【図３】
0003233019.tif 000005